(57)【要約】【課題】より小さな動作でフロントグリルの開口量を変更することのできる構成簡素な車両用グリル装置を提供すること。【解決手段】車両用グリル装置１０は、グリル開口部４内に整列配置された複数の固定フィンＦ１を有する第１カバー部材Ｃ１と、一体移動可能に連結された複数の可動フィンＦ２を有するとともに当該各可動フィンＦ２を各固定フィンＦ１と交互に並ぶ位置に配置可能な第２カバー部材Ｃ２と、を備える。そして、この車両用グリル装置１０は、第２カバー部材Ｃ２を駆動して各固定フィンＦ１の後方に各可動フィンＦ２を退避させることによりフロントグリル２の開口量を変更することが可能となっている。【選択図】図３
2015214211.tif 000002
【特許請求の範囲】
【請求項１】
フロントグリルの開口部内に整列配置された複数の固定フィンを有する第１カバー部材と、
一体移動可能に連結された複数の可動フィンを有するとともに該各可動フィンを前記各固定フィンと交互に並ぶ位置に配置可能な第２カバー部材と、
前記第２カバー部材を駆動して前記各固定フィンの後方に前記各可動フィンを退避させることにより前記フロントグリルの開口量を変更可能な駆動機構と、
を備えた車両用グリル装置。
【請求項２】
請求項１に記載の車両用グリル装置において、
前記第２カバー部材は、前記各可動フィンが架け渡された複数の支持柱を備え、
前記第１カバー部材は、内側に前記各支持柱を配置可能な複数のスリットが形成された前記固定フィンを備えること、を特徴とする車両用グリル装置。
【請求項３】
請求項２に記載の車両用グリル装置において、
前記各スリットは、前記固定フィンの前方側に開口すること、
を特徴とする車両用グリル装置。
【請求項４】
請求項３に記載の車両用グリル装置において、
前記固定フィンの前方側を覆う第３カバー部材を備えること、
を特徴とする車両用グリル装置。
【請求項５】
請求項１〜請求項４の何れか一項に記載の車両用グリル装置において、
前記各固定フィンは、前端部分に湾曲部を備え、
前記駆動機構は、前記各可動フィンを前記湾曲部の後方に退避させること、
を特徴とする車両用グリル装置。
【請求項６】
請求項５に記載の車両用グリル装置において、
前記各固定フィン及び前記各可動フィンは、車幅方向に延在するものであって、
前記駆動機構は、前記第２カバー部材を上方移動させることにより、前記湾曲部の後方に前記各可動フィンを退避させること、を特徴とする車両用グリル装置。
【発明の詳細な説明】
【技術分野】
【０００１】
本発明は、車両用グリル装置に関するものである。
【背景技術】
【０００２】
従来、フロントグリルの開口部（グリル開口部）に設けられた複数のカバー部材（グリル長板）を備えるとともに、これらのカバー部材を回動させることにより、その開口量を変更可能なグリル装置がある（例えば、特許文献１参照）。
【０００３】
即ち、例えば、高速走行時には、フロントグリルの開口量を低減してエンジンルーム内に流れ込む空気の流量を制限することにより（閉状態）、その空力性能（例えば「Ｃｄ値」等）を向上させることができる。また、エンジン始動時には、そのラジエータに導入する流量を抑えることで、その暖機時間を短縮することができる。そして、エンジン温度が上昇傾向にある場合には、フロントグリルの開口量を増大させてエンジンルーム内に流れ込む空気の流量を増やすことにより（開状態）、そのエンジン温度を適切に管理することができる。
【０００４】
しかしながら、このように各カバー部材が回動する構成では、信頼性の向上を図る上で、その可動点の多さが課題となる。そこで、例えば、特許文献２に記載のグリル装置のように、スライド動作可能な単一のカバー部材をグリル開口部の前方に設けることにより、そのグリル開口部を開閉する構成が考えられる。そして、これにより可動点を減らすことで信頼性の向上を図ることができる。
【先行技術文献】
【特許文献】
【０００５】
【特許文献１】実開昭５８−１３９５１９号公報
【特許文献２】特開２０１２−１４８７０５号公報
【発明の概要】
【発明が解決しようとする課題】
【０００６】
しかしながら、上記従来の構成では、その開閉動作のストローク、即ちカバー部材の移動距離が長くなることから、その開閉動作に時間がかかるという問題がある。また、カバー部材の収容空間及び移動機構を配置するために大きなスペースが必要になる。そして、そのカバー部材をグリル開口部の前方に展開した状態においてもまた、車両前後方向の厚みが大きくなるという問題があることから、この点において、なお改善の余地を残すものとなっていた。
【０００７】
本発明は、上記問題点を解決するためになされたものであって、その目的は、より小さな動作でフロントグリルの開口量を変更することのできる構成簡素な車両用グリル装置を提供することにある。
【課題を解決するための手段】
【０００８】
上記課題を解決する車両用グリル装置は、フロントグリルの開口部内に整列配置された複数の固定フィンを有する第１カバー部材と、一体移動可能に連結された複数の可動フィンを有するとともに該各可動フィンを前記各固定フィンと交互に並ぶ位置に配置可能な第２カバー部材と、前記第２カバー部材を駆動して前記各固定フィンの後方に前記各可動フィンを退避させることにより前記フロントグリルの開口量を変更可能な駆動機構と、を備えたものであることが好ましい。
【０００９】
上記構成によれば、各可動フィンを隣り合う位置に配置された各固定フィンの後方に退避させることにより、その開口量可変動作（開閉動作）のストローク、つまりは各可動フィンの移動距離を短くすることができる。また、互いに連結された状態の各可動フィンを一体に動作させることにより、駆動機構の構成を簡素化することができる。更に、その可動点が少ないことにより高い信頼性を確保することができる。そして、その小さな動作量及び簡素な構成を活かして装置の小型化を図ることができる。
【００１０】
上記課題を解決する車両用グリル装置は、前記第２カバー部材は、前記各可動フィンが架け渡された複数の支持柱を備え、前記第１カバー部材は、内側に前記各支持柱を配置可能な複数のスリットが形成された前記固定フィンを備えることが好ましい。
【００１１】
即ち、各可動フィンを複数の支持柱に架け渡す所謂桟構造を採用することにより、簡素な構成にて、各可動フィンを一体に連結することができる。そして、第２カバー部材の剛性を高めることができる。また、固定フィンに形成された各スリット内に各支持柱を配置することで、当該各支持柱が車両前後方向に張り出すことなく、各固定フィンの間に各可動フィンを配置（展開）することができる。従って、上記構成によれば、その展開状態における装置の厚み（車両前後方向の長さ）を薄くすることができる。そして、これにより、装置の搭載性を向上させることができる。
【００１２】
上記課題を解決する車両用グリル装置は、前記各スリットは、前記固定フィンの前方側に開口することが好ましい。
上記構成によれば、フロントグリルの開口部（グリル開口部）内に第１カバー部材を組み付けた後、車両前方側から第２カバー部材を組み付けることができる。そして、これにより、容易且つ効率的に、その組み付け作業を行うことができる。
【００１３】
上記課題を解決する車両用グリル装置は、前記固定フィンの前方側を覆う第３カバー部材を備えることが好ましい。
上記構成によれば、前方側に開口する各スリット内への異物の進入を抑えることができる。そして、これにより、各可動フィンの円滑な動作を担保して、信頼性を向上させることができる。加えて、その意匠性を向上させることができる。
【００１４】
上記課題を解決する車両用グリル装置は、前記各固定フィンは、前端部分に湾曲部を備え、前記駆動機構は、前記各可動フィンを前記湾曲部の後方に退避させることが好ましい。
【００１５】
上記構成によれば、より小さな動作でフロントグリルの開口量を変更することができる。また、その車両前後方向において各固定フィンと各可動フィンとが重複した位置関係を維持したまま、各可動フィンを退避させることが可能になる。そして、これにより、その退避状態における装置の厚みを薄くすることができる。
【００１６】
上記課題を解決する車両用グリル装置は、前記各固定フィン及び前記各可動フィンは、車幅方向に延在するものであって、前記駆動機構は、前記第２カバー部材を上方移動させることにより、前記湾曲部の後方に前記各可動フィンを退避させることが好ましい。
【００１７】
即ち、車両前方側からフロントグリルを見た場合、そのグリル開口部内に配置された各固定フィン及び各可動フィンは、上方から見下ろされるような位置関係にある。従って、上記構成によれば、その退避した各可動フィンを各固定フィンＦ１の下方に隠すことができる。そして、この目隠し効果を利用して、その意匠性を高めることができる。
【発明の効果】
【００１８】
本発明によれば、構成簡素且つより小さな動作でフロントグリルの開口量を変更することができる。
【図面の簡単な説明】
【００１９】
【図１】車両用グリル装置が搭載された車両の概略構成図。
【図２】（ａ）（ｂ）は、車両用グリル装置の正面図（全閉及び全開状態）。
【図３】（ａ）（ｂ）は、車両用グリル装置の断面図（全閉及び全開状態、図２（ａ）におけるIIIa−IIIa断面及び図２（ｂ）におけるIIIb−IIIb断面）。
【図４】第１フレーム及び第１カバー部材の斜視図。
【図５】車両用グリル装置の分解斜視図。
【図６】（ａ）（ｂ）は、車両用グリル装置の断面図（図２（ｂ）におけるVIa−VIa断面及びVIb−VIb断面）。
【図７】（ａ）は、第２フレームの側壁部に設けられた回動リンクの側面図、（ｂ）は、アクチュエータに設けられた回動リンクの側面図。
【図８】（ａ）（ｂ）は、駆動機構の動作説明図（全閉及び全開状態）。
【図９】車両用グリル装置の後方斜視図。
【発明を実施するための形態】
【００２０】
以下、車両用グリル装置の一実施形態を図面に従って説明する。
図１に示すように、車両１の前方意匠面Ｓを構成するフロントグリル２には、車両前方の外部空間と車体３の内部空間とを連通する開口部（グリル開口部４）が形成されている。そして、車体３の内部に形成されたエンジンルーム５には、そのエンジン６を冷却するためのラジエータ７が収容されている。
【００２１】
本実施形態の車両１において、グリル開口部４は、車幅方向（図１中、紙面に直交する方向）中央部分、詳しくは、バンパー８及びバンパーリインフォース９よりも上方側に設けられている。そして、ラジエータ７は、このグリル開口部４から流入する空気が当たる位置、即ちエンジンルーム５内におけるエンジン６よりも前方側に配置されている。
【００２２】
また、図１、図２（ａ）（ｂ）及び図３（ａ）（ｂ）に示すように、グリル開口部４の内側には、車幅方向に延びる複数のフィン（Ｆ１，Ｆ２）を備えたカバー部材（Ｃ１，Ｃ２）が設けられている。そして、これら各フィン（Ｆ１，Ｆ２）間に形成される隙間から流入する空気がエンジンルーム５に取り入れられるようになっている。
【００２３】
詳述すると、グリル開口部４内には、上下方向に略均等間隔で整列配置された複数の固定フィンＦ１を有する第１カバー部材Ｃ１が設けられている。更に、グリル開口部４内には、一体移動可能に連結された複数の可動フィンＦ２を有するとともに当該各可動フィンＦ２を上記第１カバー部材Ｃ１の各固定フィンＦ１と交互に並ぶ位置に配置可能な第２カバー部材Ｃ２と、が設けられている。尚、本実施形態では、これらの第１カバー部材Ｃ１及び第２カバー部材Ｃ２は、樹脂を用いて形成されている。そして、本実施形態では、その各固定フィンＦ１に対する各可動フィンＦ２の相対位置を変更することによりフロントグリル２の開口量を変更可能な車両用グリル装置１０が形成されている。
【００２４】
図１〜図４に示すように、本実施形態では、グリル開口部４の内側には、車幅方向に延びる四角枠状の外形を有した第１フレーム１１が固定されている。そして、第１カバー部材Ｃ１を構成する各固定フィンＦ１は、その長手方向端部が第１フレーム１１の側壁部１１ａ，１１ｂに支持された状態で当該第１フレーム１１の枠内に配置されている。
【００２５】
また、本実施形態の車両用グリル装置１０は、グリル開口部４の中央に車両１のエンブレムプレート（図示略）を支持するためのセンターフレーム１２を備えている。そして、各固定フィンＦ１のうち、このセンターフレーム１２と同じ高さ（上下方向位置）に配置されるものについては、その長手方向の一端側が当該センターフレーム１２に支持されるようになっている。
【００２６】
尚、上記第１フレーム１１及びセンターフレーム１２もまた、樹脂を用いて形成されている。そして、本実施形態では、これらの第１フレーム１１及びセンターフレーム１２を第１カバー部材Ｃ１と一体成型することにより、その製造工程の簡略化が図られている。
【００２７】
一方、図２（ｂ）、図５及び図６（ａ）に示すように、本実施形態の第２カバー部材Ｃ２は、車幅方向に離間した位置において上下方向に延びる複数の支持柱１３を備えている。そして、各可動フィンＦ２は、これらの支持柱１３に架け渡された状態で一体移動可能に連結されている。
【００２８】
具体的には、本実施形態の第２カバー部材Ｃ２は、上記センターフレーム１２を車幅方向に挟んで左右二本ずつ、合わせて４本の支持柱１３を備えている。そして、本実施形態では、これにより、各可動フィンＦ２を複数の支持柱１３で支持しつつ、それぞれ、センターフレーム１２に干渉しない位置に配置することが可能となっている。
【００２９】
尚、図２（ｂ）及び図６（ｂ）に示すように、本実施形態では、上記第１カバー部材Ｃ１もまた、第２カバー部材Ｃ２と同様、センターフレーム１２を挟んで左右二本ずつの支持柱１５を備えている。そして、これらの各支持柱１５に架け渡すように各固定フィンＦ１を支持することにより、その剛性が高められている。
【００３０】
また、図５に示すように、本実施形態の車両用グリル装置１０は、複数の回動リンク（２３，２８）を介して第２カバー部材Ｃ２を支持する第２フレーム２２を備えている。本実施形態では、この第２フレーム２２は、略四角枠状に形成されている。また、この第２フレーム２２の両側壁部２２ａ，２２ｂには、それぞれ、複数の回動リンク２３が設けられている。そして、本実施形態の第２カバー部材Ｃ２には、これらの各回動リンク２３に連結される複数の連結アーム２４が設けられている。
【００３１】
具体的には、図５及び図７（ａ）に示すように、本実施形態の第２フレーム２２は、その両側壁部２２ａ，２２ｂの上端部近傍及び下端部近傍に設けられた４つの回動リンク２３を備えている。また、本実施形態の第２カバー部材Ｃ２には、その幅方向（車幅方向）両側の上端部及び下端部から後方（図３参照、同図中右側）に向かって延びる４本の連結アーム２４が設けられている。そして、本実施形態の第２フレーム２２は、これらの各連結アーム２４が各回動リンク２３の先端部に対して連結されることにより、第２カバー部材Ｃ２を揺動可能に支持する構成となっている。
【００３２】
また、図５及び図７（ｂ）に示すように、本実施形態の車両用グリル装置１０は、図示しないモータ（図示略）の回転を減速して出力するアクチュエータ２５を備えている。そして、第２カバー部材Ｃ２には、このアクチュエータ２５に対する連結アーム２６が設けられている。
【００３３】
具体的には、本実施形態のアクチュエータ２５は、ブラケット２７に支持されることにより第２フレーム２２の下壁部２２ｃ、詳しくは、その幅方向略中央に固定されている。また、連結アーム２６は、第２カバー部材Ｃ２の下端部、詳しくは、その幅方向略中央から後方に向かって延設されている。更に、これらのアクチュエータ２５及び連結アーム２６は、回動リンク２８を介して連結されている。そして、本実施形態では、これにより、上記第１カバー部材Ｃ１の各固定フィンＦ１に対して第２カバー部材Ｃ２の各可動フィンＦ２を相対移動させることが可能な駆動機構３０が形成されている。
【００３４】
詳述すると、図７（ａ）（ｂ）に示すように、第２フレーム２２の幅方向両側に位置する各回動リンク２３は、第２フレーム２２の両側壁部２２ａ，２２ｂに対して回動可能に連結されている。また、第２フレーム２２の幅方向略中央部に位置する回動リンク２８は、アクチュエータ２５の出力軸２５ａに対して相対回転不能に連結されている。そして、第２カバー部材Ｃ２側の各連結アーム２４，２６は、これらの各回動リンク２３，２８に対して相対回動可能に連結されている。
【００３５】
また、図７（ａ）に示すように、本実施形態の第２フレーム２２には、回動リンク２３ａに当接することにより当該回動リンク２３ａの回動を規制する規制部材３１，３２が設けられている。具体的には、第１の規制部材３１は、その回動リンク２３ａと第２フレーム２２との連結点、つまりは回動リンク２３ａにおける基端側の連結点Ｘ１よりも前方且つ下側となる位置（図７（ａ）中、左下）に設けられている。一方、第２の規制部材３２は、その連結点Ｘ１よりも後方且つ上側となる位置（図７（ａ）中、右上）に設けられている。そして、本実施形態では、これにより、その基端側の連結点Ｘ１を回動中心とした各回動リンク２３，２８の回動範囲が規定されるようになっている。
【００３６】
具体的には、図８（ａ）（ｂ）に示すように、各回動リンク２３，２８は、その先端が下方を向いた状態（図８（ａ）参照）と後方を向いた状態（図８（ｂ）参照）との間の範囲内において、その基端側の連結点Ｘ１周りに回動することが可能となっている。また、本実施形態の駆動機構３０は、上記アクチュエータ２５の駆動力に基づいて、これら各回動リンク２３，２８を回動させる。そして、これにより、その第２フレーム２２に支持された第２カバー部材Ｃ２を上下方向及び前後方向に移動させる構成になっている。
【００３７】
即ち、図８（ａ）に示すように、各回動リンク２３，２８の先端が下方を向いた状態にある場合、その先端側に位置する各連結アーム２４，２６との連結点Ｘ２は、当該各回動リンク２３，２８が基端側の連結点Ｘ１を回動中心として反時計回りに回動することによって、後方移動を伴いつつ、上方に向かって移動することになる。また、図８（ｂ）に示すように、各回動リンク２３，２８の先端が後方を向いた状態にある場合、この先端側の連結点Ｘ２は、各回動リンク２３，２８が基端側の連結点Ｘ１を回動中心として時計回りに回動することによって、前方移動を伴いつつ、下方に向かって移動することになる。そして、本実施形態の駆動機構３０は、これにより生ずる第２カバー部材Ｃ２の上下移動及び前後移動を利用して、その各可動フィンＦ２と第１カバー部材Ｃ１の各固定フィンＦ１との相対位置を変更する、詳しくは、各可動フィンＦ２の後方に各固定フィンＦ１を退避させることが可能となっている。
【００３８】
図４〜図６に示すように、本実施形態では、第１カバー部材Ｃ１の各固定フィンＦ１には、車両前方側（図６中、左側）に開口する複数のスリット（４０ａ〜４０ｃ）が形成されている。具体的には、各固定フィンＦ１には、当該各固定フィンＦ１を各支持柱１５と一体成型するために設けられた複数のスリット４０ａが形成されている。また、各固定フィンＦ１には、その内側に上記駆動機構３０を構成する第２フレーム２２の両側壁部２２ａ，２２ｂを配置することが可能なスリット４０ｂが形成されている。そして、本実施形態の第１カバー部材Ｃ１は、その内側に第２カバー部材Ｃ２の各支持柱１３を配置可能な複数のスリット４０ｃを有した固定フィンＦ１を備えている。
【００３９】
即ち、図５及び図９に示すように、本実施形態の第２カバー部材Ｃ２は、第２フレーム２２に支持された状態で、車両前方側から第１フレーム１１の枠内に組み付けられる。そして、その第２フレーム２２が第１カバー部材Ｃ１に対して固定されることにより、当該第１カバー部材Ｃ１の各固定フィンＦ１の間に各可動フィンＦ２を配置することが可能となっている。
【００４０】
尚、図７（ａ）に示すように、本実施形態では、第２フレーム２２の両側壁部２２ａ，２２ｂには、当該第２フレーム２２を第１カバー部材Ｃ１に固定するための締結フランジ４１ａ，４１ｂが設けられている。そして、図４及び図６（ａ）に示すように、内側に各支持柱１３を配置可能なスリット４０ｃは、その第１カバー部材Ｃ１を構成する各固定フィンＦ１のうち、最も上側に配置されるもの以外に形成されている。
【００４１】
即ち、図３（ａ）に示すように、本実施形態の車両用グリル装置１０は、上記のように各回動リンク２３，２８の先端が下方を向いた状態にある場合に（図８（ａ）参照）、その第２フレーム２２に支持された第２カバー部材Ｃ２の各可動フィンＦ２が第１カバー部材Ｃ１の各固定フィンＦ１と交互に並んで配置されるように構成されている。
【００４２】
また、図３（ｂ）に示すように、本実施形態の車両用グリル装置１０は、各回動リンク２３，２８の先端が後方を向いた状態となることによって（図８（ｂ）参照）、その第２カバー部材Ｃ２の各可動フィンＦ２が第１カバー部材Ｃ１の各固定フィンＦ１の後方に退避するように構成されている。
【００４３】
そして、本実施形態の車両用グリル装置１０は、これにより、そのグリル開口部４の開口量が最も小さくなる「全閉状態」と、当該グリル開口部４の開口量が最も大きくなる「全開状態」とを切り替えることが可能となっている。
【００４４】
さらに詳述すると、図３（ａ）（ｂ）に示すように、本実施形態では、第１カバー部材Ｃ１の各固定フィンＦ１には、その前端部分に湾曲部４５が設けられている。具体的には、この湾曲部４５は、断面略円弧形状を有して各固定フィンＦ１の下方側に延びている。そして、本実施形態の駆動機構３０は、各回動リンク２３，２８の回動によって、第２カバー部材Ｃ２を上方移動（及び後方移動）させることにより（図８参照）、その各可動フィンＦ２を上記湾曲部４５の後方に退避させるように構成されている。
【００４５】
尚、本実施形態の各可動フィンＦ２は、上記湾曲部４５の後方に退避した場合、車両前方側からみて、その略全体が各湾曲部４５に隠れるように形成されている。そして、各固定フィンＦ１の間に展開された場合には、これら各固定フィンＦ１間の隙間を略閉塞することが可能な外形を有している。
【００４６】
また、図３（ａ）（ｂ）及び図６（ａ）（ｂ）に示すように、本実施形態の車両用グリル装置１０は、各固定フィンＦ１の前方側を覆う第３カバー部材Ｃ３を備えている。尚、本実施形態では、これらの第３カバー部材Ｃ３もまた、樹脂を用いて形成されている。そして、本実施形態の第３カバー部材Ｃ３は、その前方側から上記湾曲部４５を含む各固定フィンＦ１の意匠面を覆う態様で当該各固定フィンＦ１に取着されるようになっている。
【００４７】
以上、本実施形態によれば、以下のような効果を得ることができる。
（１）車両用グリル装置１０は、グリル開口部４内に整列配置された複数の固定フィンＦ１を有する第１カバー部材Ｃ１と、一体移動可能に連結された複数の可動フィンＦ２を有するとともに当該各可動フィンＦ２を各固定フィンＦ１と交互に並ぶ位置に配置可能な第２カバー部材Ｃ２と、を備える。そして、車両用グリル装置１０は、第２カバー部材Ｃ２を駆動して各固定フィンＦ１の後方に各可動フィンＦ２を退避させることによりフロントグリル２の開口量を変更可能な駆動機構３０を備える。
【００４８】
上記構成によれば、各可動フィンＦ２を隣り合う位置に配置された各固定フィンＦ１の後方に退避させることにより、その開口量可変動作（開閉動作）のストローク、つまりは各可動フィンＦ２の移動距離を短くすることができる。また、互いに連結された状態の各可動フィンＦ２を一体に動作させることにより、駆動機構３０の構成を簡素化することができる。更に、その可動点が少ないことにより高い信頼性を確保することができる。そして、その小さな動作量及び簡素な構成を活かして装置の小型化を図ることができる。
【００４９】
（２）第２カバー部材Ｃ２は、複数の支持柱１３を備え、各可動フィンＦ２は、これらの支持柱１３に架け渡された状態で互いに連結される。そして、第１カバー部材Ｃ１は、その内側に第２カバー部材Ｃ２の各支持柱１３を配置可能な複数のスリット４０ｃを有した固定フィンＦ１を備える。
【００５０】
即ち、各可動フィンＦ２を複数の支持柱１３に架け渡す所謂桟構造を採用することにより、簡素な構成にて、各可動フィンＦ２を一体に連結することができる。そして、第２カバー部材Ｃ２の剛性を高めることができる。また、固定フィンＦ１に形成された各スリット４０ｃ内に各支持柱１３を配置することで、当該各支持柱１３が車両前後方向に張り出すことなく、各固定フィンＦ１の間に各可動フィンＦ２を配置（展開）することができる。従って、上記構成によれば、その展開状態における装置の厚み（車両前後方向の長さ）を薄くすることができる。そして、これにより、装置の搭載性を向上させることができる。
【００５１】
（３）駆動機構３０は、複数の回動リンク２３（２８）を介して第２カバー部材Ｃ２を支持する第２フレーム２２を備える。そして、第１カバー部材Ｃ１の各固定フィンＦ１には、その内側に第２フレーム２２（の側壁部２２ａ，２２ｂ）を配置可能な複数のスリット４０ｂが形成される。
【００５２】
上記構成によれば、その第２フレーム２２を第１カバー部材Ｃ１と車両前後方向に重複する位置に配置することができる。そして、これにより、その展開状態における装置の厚みを更に薄くすることができる。
【００５３】
（４）各固定フィンＦ１に形成された各スリット４０ａ〜４０ｃは、車両前方側に開口部を有する。このような構成を採用することで、グリル開口部４内に第１カバー部材Ｃ１を組み付けた後、車両前方側から第２カバー部材Ｃ２（及び駆動機構３０）を組み付けることができる。そして、これにより、容易且つ効率的に、その組み付け作業を行うことができる。
【００５４】
（５）車両用グリル装置１０は、各固定フィンＦ１の前方側を覆う第３カバー部材Ｃ３を備える。これにより、前方側に開口する各スリット４０ａ〜４０ｃ内への異物の進入を抑えることができる。その結果、各可動フィンＦ２の円滑な動作を担保して、信頼性を向上させることができる。加えて、その意匠性を向上させることができる。
【００５５】
（６）各固定フィンＦ１の前端部分には、湾曲部４５が形成される。そして、駆動機構３０は、この湾曲部４５の後方に各可動フィンＦ２を退避させる。
上記構成によれば、より小さな動作でフロントグリル２の開口量を変更することができる。また、その車両前後方向において各固定フィンＦ１と各可動フィンＦ２とが重複した位置関係を維持したまま、各可動フィンＦ２を退避させることが可能になる。そして、これにより、その退避状態における装置の厚みを薄くすることができる。
【００５６】
（７）第１カバー部材Ｃ１及び第２カバー部材Ｃ２は、それぞれ、車幅方向に延びる各固定フィンＦ１及び各可動フィンＦ２を備える。そして、駆動機構は３０、第２カバー部材Ｃ２を上方移動させることにより、各固定フィンＦ１の前端部分に設けられた湾曲部４５の後方に各可動フィンＦ２を退避させる。
【００５７】
即ち、車両前方側からフロントグリル２を見た場合、そのグリル開口部４内に配置された各固定フィンＦ１及び各可動フィンＦ２は、上方から見下ろされるような位置関係となる。従って、上記構成によれば、その退避した各可動フィンＦ２を各固定フィンＦ１の下方に隠すことができる。そして、この目隠し効果を利用して、その意匠性を高めることができる。
【００５８】
なお、上記実施形態は以下のように変更してもよい。
・上記実施形態では、グリル開口部４から流れ込む空気は、車体３内に形成されたエンジンルーム５内に取り入れられることとした。しかし、その空気の取り入れ先は、必ずしもエンジンルーム５でなくともよい。即ち、例えば、ラジエータ７のような熱交換器の収容室等、グリル開口部４から流れ込む空気が導入される空間があればよく、車体の後部又は中央にエンジンが配置された車両、或いは電気自動車等、車室よりも前方の車体内空間にエンジンが搭載されていない車両に適用してもよい。
【００５９】
・上記実施形態では、バンパー８よりも上方に形成されたグリル開口部４内に形成された車両用グリル装置１０に具体化した。しかし、これに限らず、バンパー８の下方に設けられたグリル開口部内に形成される車両用グリル装置に適用してもよい。
【００６０】
・上記実施形態では、各固定フィンＦ１の前端部分には、断面略円弧形状を有して下方に延びる湾曲部４５が形成される。また、各可動フィンＦ２は、上記湾曲部４５の後方に退避した場合、車両前方側からみて、その略全体が各湾曲部４５に隠れるように形成される。そして、各可動フィンＦ２は、各固定フィンＦ１の間に展開された場合には、これら各固定フィンＦ１間の隙間を略閉塞することが可能な外形を有することした。しかし、これに限らず、各固定フィンＦ１及び可動フィンＦ２の形状は任意に変更してもよい。例えば、各固定フィンＦ１が上方に延びる湾曲部４５を有する構成であってもよい。また、湾曲部４５を有しない構成としてもよい。更に、各固定フィンＦ１と各可動フィンＦ２とが略同一の形状を有する構成であってもよい。そして、その材質や形成方法等についてもまた、任意に変更してもよい。
【００６１】
・また、グリル開口部４の開口量が最も小さくなる「全閉状態」において、必ずしも各固定フィンＦ１が各固定フィンＦ１間の隙間を略閉塞するものでなくともよい。
・更に、上記実施形態では、第２カバー部材Ｃ２は、車幅方向に離間した位置において上下方向に延びる複数の支持柱１３を備え、各可動フィンＦ２は、これらの支持柱１３に架け渡された状態で一体移動可能に連結されることとした。しかし、これに限らず、例えば、必ずしも一本の支持柱１３に全ての可動フィンＦ２が連結されなくともよい。そして、各可動フィンＦ２及びその支持柱１３がメッシュ形状を形成する等、各可動フィンＦ２の連結構造は任意に変更してもよい。
【００６２】
・上記実施形態では、第１カバー部材Ｃ１及び第２カバー部材Ｃ２は、それぞれ、車幅方向に延びる各固定フィンＦ１及び各可動フィンＦ２を備える。そして、これら各固定フィンＦ１及び各可動フィンＦ２は、上下方向に並んで配置されることとした。しかし、これに限らず、第１カバー部材Ｃ１及び第２カバー部材Ｃ２は、それぞれ、上下方向に延びる各固定フィンＦ１及び各可動フィンＦ２を備える。そして、これらの各固定フィンＦ１及び各可動フィンＦ２が車幅方向に並んで配置される構成であってもよい。
【００６３】
・上記実施形態では、各固定フィンＦ１には、車両前方側に開口部を有する複数のスリット４０ａ〜４０ｃが形成されることとした。しかし、これに限らず、各固定フィンＦ１に形成するスリットの形態及びその数は、任意に変更してもよい。例えば、当該各固定フィンＦ１を各支持柱１５と一体成型するための各スリット４０ａや、第２フレーム２２の両側壁部２２ａ，２２ｂを内側に配置するためのスリット４０ｂは、必ずしも設けなくともよい。また、第２カバー部材Ｃ２の各支持柱１３を内側に配置するためのスリット４０ｃを形成しない構成であってもよい。更に、各スリットが後方側に開口する構成であってもよい。そして、このようなスリットが形成されていない構成についてもまた、これを排除しない。
【００６４】
・また、上記実施形態では、各固定フィンＦ１の前方側を覆う第３カバー部材Ｃ３を備えることとしたが、このような第３カバー部材Ｃ３を有しない構成であってもよい。
・上記実施形態では、支持部材としての第２フレーム２２及びアクチュエータ２５、並びに、これら第２フレーム２２及びアクチュエータ２５に設けられた回動リンク２３，２８によって、駆動機構３０が形成されることとした。しかし、これに限らず、駆動機構３０の構成及びその配置は、任意に変更してもよい。例えば、第２カバー部材Ｃ２の下方移動によって、各固定フィンＦ１の後方に各可動フィンＦ２を退避させる等の構成であってもよい。
【００６５】
次に、以上の実施形態から把握することのできる技術的思想を効果とともに記載する。
（イ）前記駆動機構は、前記第２カバー部材を支持する支持部材を備え、前記第１カバー部材は、内側に前記支持部材を配置可能な複数のスリットが形成された前記固定フィンを備えること、を特徴とする車両用グリル装置。
【００６６】
上記構成によれば、その支持部材を第１カバー部材と車両前後方向に重複する位置に配置することができる。そして、これにより、その展開状態における装置の厚みを更に薄くすることができる。
【符号の説明】
【００６７】
１…車両、２…フロントグリル、４…グリル開口部、１０…車両用グリル装置、Ｃ１…第１カバー部材、Ｃ２…第２カバー部材、Ｃ３…第３カバー部材、Ｆ１…固定フィン、Ｆ２…可動フィン、１１…第１フレーム、１１ａ…側壁部、１１ｂ…側壁部、１３…支持柱、２３，２３ａ，２８…回動リンク、Ｘ１，Ｘ２…連結点、２２…第２フレーム（支持部材）、２２ａ，２２ｂ…側壁部、２２ｃ…下壁部、２４，２６…連結アーム、２５…アクチュエータ、２５ａ…出力軸、３０…駆動機構、３１，３２…規制部材、４０ａ〜４０ｃ…スリット、４５…湾曲部。
【図１】
2015214211.tif 000003
【図２】
2015214211.tif 000004
【図３】
2015214211.tif 000005
【図４】
2015214211.tif 000006
【図５】
2015214211.tif 000007
【図６】
2015214211.tif 000008
【図７】
2015214211.tif 000009
【図８】
2015214211.tif 000010
【図９】
2015214211.tif 000011